(57)【要約】  表示装置は、互いに対向する第１および第２の表示面（Ｓ１、Ｓ２）を有する表示部（１１）を備えている。この表示部（１１）は、第１の表示面（Ｓ１）側に配置され、複数の発光素子を含む第１の表示パネル（１１１）と、第２の表示面（Ｓ２）側に配置され、入射光の透過または反射を制御する光制御を行うと共に入射光の反射を利用した反射型映像表示を行う複数の光制御素子を含む第２の表示パネル（１１２）とを有する。
2015045752.tif 000002
【特許請求の範囲】
【請求項１】
互いに対向する第１および第２の表示面を有する表示部を備え、  前記表示部は、  前記第１の表示面側に配置され、複数の発光素子を含む第１の表示パネルと、  前記第２の表示面側に配置され、入射光の透過または反射を制御する光制御を行うと共に前記入射光の反射を利用した反射型映像表示を行う複数の光制御素子を含む第２の表示パネルと  を有する表示装置。
【請求項２】
前記発光素子は、前記第１および第２の表示面側の双方へ向けて発光光を出射し、  前記光制御素子は、前記第１の表示面側からの前記入射光と前記第２の表示面側からの前記入射光との双方について、前記光制御および前記反射型映像表示を行う  請求項１に記載の表示装置。
【請求項３】
前記第１および第２の表示パネルではそれぞれ、前記発光素子または前記光制御素子に対して印加される駆動電圧に応じて、画素単位で光透過性が変化する  請求項２に記載の表示装置。
【請求項４】
前記第１および第２の表示パネルにおける映像表示の個別制御を行う表示制御部を更に備え、  前記表示制御部は、前記画素単位での前記光透過性の変化を利用した複数種類の表示モードのうちの選択された一の表示モードが実行されるように、前記個別制御を行う  請求項３に記載の表示装置。
【請求項５】
前記表示制御部は、  前記第１の表示パネルの少なくとも一部の画素領域において、前記発光素子による映像表示が行われている場合に、  前記複数種類の表示モードとしての、  前記光制御素子による前記入射光の透過を利用して、前記第２の表示パネルの全画素領域が透明状態となる第１の表示モードと、  前記光制御素子による前記第１の表示面側からの前記入射光に基づく前記反射型映像表示を利用して、前記第２の表示パネルの全画素領域が単色反射表示状態となる第２の表示モードと、  前記第２の表示パネルにおいて、前記第１の表示パネルにおける表示画素領域に対応する画素領域付近が前記単色反射表示状態になると共に、前記第１の表示パネルにおける非表示画素領域である透明画素領域に対応する画素領域付近が前記透明状態になる第３の表示モードと  からなる３種類の表示モードのうちの少なくとも２種類以上の表示モードのうち、選択された一の表示モードが実行されるように、前記個別制御を行う  請求項４に記載の表示装置。
【請求項６】
前記第２および第３の表示モードの際の前記単色反射表示状態での色の設定と、  前記第３の表示モードの際の、前記単色反射表示状態または前記透明状態となる画素領域の部分設定とがそれぞれ、  任意に調整可能となっている  請求項５に記載の表示装置。
【請求項７】
前記第１ないし第３の表示モードのうちの前記少なくとも２種類以上の表示モードのうち、前記一の表示モードが、外部から入力された操作信号に従って選択される  請求項５に記載の表示装置。
【請求項８】
前記表示制御部は、  前記第１の表示面が上側となる状態であることが検知された場合に、  前記第１の表示パネルの少なくとも一部の画素領域において前記映像表示が行われるように、前記個別制御を行う  請求項５に記載の表示装置。
【請求項９】
前記表示制御部は、  前記第２の表示パネルの少なくとも一部の画素領域において、前記光制御素子による前記第２の表示面側からの前記入射光に基づく前記反射型映像表示が行われている場合に、  前記複数種類の表示モードとしての、  前記発光素子が非発光状態になることによって前記第１の表示パネルの全画素領域が透明状態となる第４の表示モードと、  前記発光素子が発光状態になることによって前記第１の表示パネルの全画素領域が単色表示状態となる第５の表示モードと、  前記第１の表示パネルにおいて、前記第２の表示パネルにおける表示画素領域に対応する画素領域付近が前記単色表示状態になると共に、前記第２の表示パネルにおける非表示画素領域である透明画素領域に対応する画素領域付近が前記透明状態になる第６の表示モードと  からなる３種類の表示モードのうちの少なくとも２種類以上の表示モードのうち、選択された一の表示モードが実行されるように、前記個別制御を行う  請求項４に記載の表示装置。
【請求項１０】
前記第５および第６の表示モードの際の前記単色表示状態での色の設定と、  前記第６の表示モードの際の、前記単色表示状態または前記透明状態となる画素領域の部分設定とがそれぞれ、  任意に調整可能となっている  請求項９に記載の表示装置。
【請求項１１】
前記第４ないし第６の表示モードのうちの前記少なくとも２種類以上の表示モードのうち、前記一の表示モードが、外部から入力された操作信号または検知された環境照度値に従って選択される  請求項９に記載の表示装置。
【請求項１２】
前記環境照度値が閾値以上の場合には、前記第４の表示モードが前記一の表示モードとして選択され、  前記環境照度値が前記閾値未満の場合には、前記第５または第６の表示モードが前記一の表示モードとして選択される  請求項１１に記載の表示装置。
【請求項１３】
前記表示制御部は、  前記第２の表示面が上側となる状態であることが検知された場合に、  前記第２の表示パネルの少なくとも一部の画素領域において前記反射型映像表示が行われるように、前記個別制御を行う  請求項９に記載の表示装置。
【請求項１４】
前記表示制御部は、  前記表示装置が待機状態であることが検知されたときには、  前記第１および第２の表示パネルにおける画素領域がいずれも透明状態となるように、前記個別制御を行う  請求項４に記載の表示装置。
【請求項１５】
前記表示部が、  各々が前記第１および第２の表示パネルを有する第１および第２の表示部と、  前記第１および第２の表示部同士を折り畳み自在に連結するヒンジ部と  を含んで構成されている  請求項１に記載の表示装置。
【請求項１６】
前記第１および第２の表示部同士が折り畳まれて閉じている状態であることが検知されたときには、  前記第１および第２の表示部ではそれぞれ、前記第１および第２の表示パネルにおける画素領域がいずれも透明状態となるように、表示制御が行われる  請求項１５に記載の表示装置。
【請求項１７】
前記第１および第２の表示部同士が前記ヒンジ部を介して上下方向に開いている状態であることが検知されたときには、  前記第１および第２の表示部のうちの一方において、前記第１または第２の表示面において透明状態による映像表示が行われると共に、他方では、前記第１または第２の表示面において非透明状態による映像表示が行われるように、表示制御が行われ、  前記第１および第２の表示部同士が前記ヒンジ部を介して左右方向に開いている状態であることが検知されたときには、  前記第１および第２の表示部ではそれぞれ、前記第１および第２の表示面のうちの一方である共通表示面において非透明状態による映像表示が行われるように、表示制御が行われる  請求項１５に記載の表示装置。
【請求項１８】
前記第１および第２の表示パネルがそれぞれ、可撓性を有する  請求項１に記載の表示装置。
【請求項１９】
前記発光素子が有機電界発光素子であり、  前記光制御素子が、コレステリック液晶を用いて構成されている  請求項１に記載の表示装置。
【請求項２０】
表示装置を備え、  前記表示装置は、  互いに対向する第１および第２の表示面を有する表示部を備え、  前記表示部は、  前記第１の表示面側に配置され、複数の発光素子を含む第１の表示パネルと、  前記第２の表示面側に配置され、入射光の透過または反射を制御する光制御を行うと共に前記入射光の反射を利用した反射型映像表示を行う複数の光制御素子を含む第２の表示パネルと  を有する電子機器。
【発明の詳細な説明】
【技術分野】
【０００１】  本開示は、２種類の表示パネルを含む表示部を有する表示装置、およびそのような表示装置を備えた電子機器に関する。
【背景技術】
【０００２】  従来、様々なタイプの表示装置が提案されている。例えば特許文献１には、２種類の表示パネル（表示体）を用いた表示装置が開示されている。
【先行技術文献】
【特許文献】
【０００３】
【特許文献１】特開２００４−３０２３２１号公報
【発明の概要】
【０００４】  ところで、表示装置では一般に、ユーザの利便性を向上させることが求められている。したがって、ユーザの利便性を向上させる手法の提案が望まれる。
【０００５】  したがって、ユーザの利便性を向上させることが可能な表示装置および電子機器を提供することが望ましい。
【０００６】  本開示の一実施の形態の表示装置は、互いに対向する第１および第２の表示面を有する表示部を備えたものである。この表示部は、第１の表示面側に配置され、複数の発光素子を含む第１の表示パネルと、第２の表示面側に配置され、入射光の透過または反射を制御する光制御を行うと共に入射光の反射を利用した反射型映像表示を行う複数の光制御素子を含む第２の表示パネルとを有している。
【０００７】  本開示の一実施の形態の電子機器は、上記本開示の一実施の形態の表示装置を備えたものである。
【０００８】  本開示の一実施の形態の表示装置および電子機器では、第１および第２の表示パネルを利用して、互いに対向する第１および第２の表示面の双方での映像表示が実現される。また、第１の表示パネルが上記発光素子を含んで構成されていると共に第２の表示パネルが上記光制御素子を含んで構成されていることにより、双方の素子機能を相互に補完したうえでの映像表示が実現される。
【０００９】  本開示の一実施の形態の表示装置および電子機器によれば、上記第１および第２の表示パネルを有する表示部を設けるようにしたので、各表示パネルにおける素子機能を相互に補完したうえで、対向する２つの表示面での映像表示を実現することができる。よって、ユーザの利便性を向上させることが可能となる。なお、ここに記載された効果は必ずしも限定されるものではなく、本開示中に記載されたいずれの効果であってもよい。
【図面の簡単な説明】
【００１０】
【図１Ａ】本開示の一実施の形態に係る表示装置を備えた電子機器の外観構成例を表す模式平面図である。
【図１Ｂ】図１Ａに示した電子機器における反対側の外観構成例を表す模式平面図である。
【図２】図１Ａ，図１Ｂに示した電子機器の概略構成例を模式的に表すブロック図である。
【図３Ａ】図２に示した表示部の概略構成例を表す模式斜視図である。
【図３Ｂ】図３Ａに示した表示部を反対側から見たときの概略構成例を表す模式斜視図である。
【図４】図３Ａに示した発光素子を含む画素の概略構成例を表す模式断面図である。
【図５Ａ】図４に示した画素における作用の一例を表す模式断面図である。
【図５Ｂ】図４に示した画素における作用の他の例を表す模式断面図である。
【図６】図３Ｂに示した光制御素子を含む画素の概略構成例を表す模式断面図である。
【図７Ａ】図６に示した画素における作用の一例を表す模式断面図である。
【図７Ｂ】図６に示した画素における作用の他の例を表す模式断面図である。
【図８Ａ】待機動作時の状態例を表す模式平面図である。
【図８Ｂ】待機動作時の他の状態例を表す模式平面図である。
【図９Ａ】図８Ａに示した状態における作用について説明するための模式断面図である。
【図９Ｂ】図８Ｂに示した状態における作用について説明するための模式断面図である。
【図１０Ａ】背景を透明状態に設定したときの表示態様の一例を表す模式平面図である。
【図１０Ｂ】背景を透明状態に設定したときの表示態様の他の例を表す模式平面図である。
【図１１Ａ】図１０Ａに示した表示態様の際の作用について説明するための模式断面図である。
【図１１Ｂ】図１０Ｂに示した表示態様の際の作用について説明するための模式断面図である。
【図１２Ａ】背景を単色反射表示状態に設定したときの表示態様例における作用を表す模式断面図である。
【図１２Ｂ】背景を単色表示状態に設定したときの他の表示態様例における作用を表す模式断面図である。
【図１３Ａ】図１２Ａに示した表示態様について説明するための模式平面図である。
【図１３Ｂ】図１２Ｂに示した表示態様について説明するための模式平面図である。
【図１４】表示面を反転させたときの表示態様の一例を表す模式平面図である。
【図１５】図１４に示した場合における表示モードの例を表す模式平面図である。
【図１６】表示面を反転させたときの表示態様の他の例を表す模式平面図である。
【図１７】図１６に示した場合における表示モードの例を表す模式平面図である。
【図１８】各種の指標と各表示モードとの適応関係の一例を表す模式図である。
【図１９】実施の形態に係る表示制御の一例を表す流れ図である。
【図２０】図１９に続く表示制御の一例を表す流れ図である。
【図２１】図１９に続く表示制御の他の例を表す流れ図である。
【図２２】図２１に続く表示制御の一例を表す流れ図である。
【図２３】図２２に続く表示制御の一例を表す流れ図である。
【図２４】図２０，図２２に続く表示制御のその他の例を表す流れ図である。
【図２５】変形例１に係る表示装置を備えた電子機器の外観構成例を表す模式平面図である。
【図２６Ａ】図２５に示した電子機器における状態例を表す模式平面図である。
【図２６Ｂ】図２５に示した電子機器における表示態様例を表す模式平面図である。
【図２６Ｃ】図２５に示した電子機器における他の表示態様例を表す模式平面図である。
【図２７Ａ】変形例２に係る表示装置を備えた電子機器の外観構成例を表す模式斜視図である。
【図２７Ｂ】図２７Ａに示した電子機器の他の外観構成例を表す模式斜視図である。
【発明を実施するための形態】
【００１１】  以下、本開示の実施の形態について、図面を参照して詳細に説明する。なお、説明は以下の順序で行う。１．実施の形態（電子機器の一例としてのモバイル機器に表示装置を適用した場合の例）２．変形例      変形例１（表示部が折り畳み可能に構成されている場合の例）      変形例２（各表示パネルが可撓性を有する場合の例）３．その他の変形例
【００１２】＜１．実施の形態＞［外観構成例］  図１Ａおよび図１Ｂは、本開示の一実施の形態に係る表示装置を備えた電子機器（電子機器１）の外観構成例を、平面図（Ｘ−Ｙ平面図）で模式的に表したものである。具体的には、図１Ａは、後述する表示面Ｓ１（第１の表示面）側から見たときの外観構成例を、図１Ｂは、後述する表示面Ｓ２（第２の表示面）側から見たとき（表示面Ｓ１の反対側から見たとき）の外観構成例を、それぞれ示している。
【００１３】  電子機器１は、この例では、例えばタブレット端末やスマートフォン、携帯情報端末（ＰＤＡ；Personal Digital Assistant）等のモバイル機器（携帯機器）として機能するものである。電子機器１は、筺体１０内に本実施の形態に係る表示装置を収容しており、この表示装置は表示部１１を備えている。
【００１４】  表示部１１は、映像信号（後述する映像信号Ｓｖ１，Ｓｖ２）に基づいて映像表示を行うものであり、互いに対向する表示面Ｓ１，Ｓ２（例えば、表側および裏側の２つの表示面）を有している。この表示部１１は、これらの表示面Ｓ１，Ｓ２上に、各種の表示素子を含む複数の画素（後述する画素２１０，２２０）を有している。また、表示部１１は、これらの表示素子の他、各種のＴＦＴ（Thin Film Transistor；薄膜トランジスタ）等からなる駆動素子などを含んで構成されている。このような表示部１１は、この例では、Ｙ軸方向（垂直方向）を長軸方向とすると共にＸ軸方向（水平方向）を短軸方向とする異方性形状（矩形状）となっている。なお、この表示部１１は２種類の表示パネル（表示体）を含んで構成されているが、その詳細構成例については後述する（図２，図３Ａ，図３Ｂ等）。
【００１５】  筺体１０は、表示部１１における表示面Ｓ１，Ｓ２の双方を視認可能に収容する外装部材である。筺体１０は、この例では、Ｙ軸方向を長軸方向とすると共にＸ軸方向を短軸方向とする異方性形状（矩形状）となっている。図１Ａに示したように、筺体１０の表示面Ｓ１側（表示部１１の額縁領域）には、操作部１２ａ，１２ｂ，１２ｃが設けられている。図１Ｂに示したように、筺体１０の表示面Ｓ２側（表示部１１の額縁領域）には、照度センサ１４が設けられている。また、図１Ａ，図１Ｂにそれぞれ示したように、筺体１０には重力位置センサ１３が内蔵されている。
【００１６】  操作部１２ａ，１２ｂ，１２ｃはそれぞれ、ユーザが電子機器１を操作する際に用いられる部分（操作ボタン等）である。なお、このような操作部１２ａ，１２ｂ，１２ｃを設ける代わりに、表示部１１上（表示面Ｓ１側や表示面Ｓ２側の表面）に各種のタッチパネルを配置し、そのタッチパネルが操作部として機能することでユーザによる電子機器１の操作が可能となるようにしてもよい。
【００１７】  重力位置センサ１３は、電子機器１の重力位置（例えば、筺体１０のいずれの面が上側を向いているのか等の、電子機器１の姿勢）を検知するものである。このような重力位置センサ１３としては、例えば加速度センサやジャイロセンサ等が挙げられる。
【００１８】  照度センサ１４は、電子機器１の周囲の明るさに相当する環境照度（周辺から入射する外光の照度）を検知するものである。このような照度センサ１４は、例えば、可視光領域に受光感度を有する各種のフォトダイオード等を含んで構成されている。
【００１９】［概略構成例］  続いて、図２および図３Ａ，図３Ｂを参照して、電子機器１（表示装置）の概略構成例について説明する。図２は、電子機器１の概略構成例を模式的にブロック図で表したものである。図３Ａは、表示部１１の概略構成例を模式的に斜視図で表したものであり、図３Ｂは、図３Ａに示した表示部１１を反対側から見たときの概略構成例を模式的に斜視図で表したものである。
【００２０】  図２に示したように、電子機器１は、上記した表示部１１、操作部１２ａ，１２ｂ，１２ｃ、重力位置センサ１３および照度センサ１４に加え、表示部１１における映像表示の制御を行う表示制御部１５を備えている。
【００２１】（表示部１１）  表示部１１は、図２に示したように、Ｚ軸（厚み方向）に沿って２種類の表示パネル１１１，１１２を重ね合わせて（貼り合わせて）なる。
【００２２】  表示パネル１１１（第１の表示パネル）は、相対的に表示面Ｓ１の側（Ｚ軸の正方向側）に配置されており、その表面側（表示面Ｓ１側）および裏面側（表示面Ｓ２側）の双方へ向けて表示光Ｌｄ１を出射するように構成されている。この表示パネル１１１は、例えば図３Ａに示したように、表示面Ｓ１（Ｘ−Ｙ平面）上にマトリクス状に２次元配置された複数の画素２１０を有している。各画素２１０には、自発光を行う発光素子２１１が含まれている。発光素子２１１は、表示面Ｓ１側および表示面Ｓ２側の双方へ向けて発光光（表示光Ｌｄ１）が出射されるように構成されている。表示パネル１１１では、このような発光素子２１１を表示素子として用いているため、以下説明する表示パネル１１２と比較して相対的に高画質の映像表示が実現される一方、映像表示時の消費電力が相対的に高いものとなっている。なお、この発光素子２１１の詳細構成例については後述する（図４，図５Ａ，図５Ｂ等）。
【００２３】  表示パネル１１２（第２の表示パネル）は、相対的に表示面Ｓ２の側（Ｚ軸の負方向側）に配置されており、その表面側（表示面Ｓ２側）および裏面側（表示面Ｓ１側）の双方へ向けて表示光Ｌｄ２を出射するように構成されている。この表示パネル１１２は、例えば図３Ｂに示したように、表示面Ｓ２（Ｘ−Ｙ平面）上にマトリクス状に２次元配置された複数の画素２２０を有している。各画素２２０には、入射光の透過または反射を制御（透過状態と反射状態とを切り替え制御）する光制御を行う、光制御素子２２１が含まれている。この光制御素子２２１はまた、そのような入射光の反射を利用した映像表示（反射型映像表示）を行う、反射型の表示素子としても機能するようになっている。光制御素子２２１は、表示面Ｓ１側から入射する入射光と、表示面Ｓ２側から入射する入射光との双方について、そのような光制御および反射型映像表示をそれぞれ行うように構成されている。表示パネル１１２では、このような光制御素子２２１を表示素子として用いているため、上記した表示パネル１１１と比較して、映像表示時の消費電力が相対的に低いものとなる一方、画質が相対的に低いものとなっている。なお、この光制御素子２２１の詳細構成例については後述する（図６，図７Ａ，図７Ｂ等）。
【００２４】（表示制御部１５）  表示制御部１５は、表示部１１に対して映像信号（駆動電圧）を画素単位で供給し、この表示部１１において映像表示がなされるように制御する（表示制御を行う）ものである。具体的には、詳細は後述するが、表示制御部１５は、表示部１１内の各表示パネル１１１，１１２における映像表示を個別に制御する（映像表示の個別制御を行う）ようになっている。この表示制御部１５は、図２に示したように、制御部１５０および２つの駆動部１５１，１５２を有している。
【００２５】  制御部１５０は、外部から入力される映像信号Ｓｖ１，Ｓｖ２と、操作部Ｓｍから供給される操作信号Ｓｍと、重力位置センサ１３から供給される重力位置信号Ｓｇと、照度センサ１４から供給される環境照度値Ｄｉとに基づいて、駆動部１５１，１５２の動作をそれぞれ制御するものである。ここで、映像信号Ｓｖ１は、表示パネル１１１における各画素２１０用の映像信号に対応し、映像信号Ｓｖ２は、表示パネル１１２における各画素２２０用の映像信号に対応する。操作信号Ｓｍは、操作部１２ａ，１２ｂ，１２ｃに対するユーザの入力操作に応じて生成される信号である。重力位置信号Ｓｇは、重力位置センサ１３における検知結果（電子機器１の姿勢情報等）を示す信号である。環境照度値Ｄｉは、照度センサ１４において検知された環境照度値を示すデータに対応する。なお、このような制御部１５０は、例えばマイクロコンピュータ等を用いて構成されている。
【００２６】  駆動部１５１は、制御部１５０による制御に従って、映像信号Ｓｖ１に基づく駆動電圧Ｖｄ１を、表示パネル１１１における各画素２１０へ供給するものである。同様に、駆動部１５２は、制御部１５０による制御に従って、映像信号Ｓｖ２に基づく駆動電圧Ｖｄ２を、表示パネル１１２における各画素２２０へ供給するものである。このような駆動部１５１，１５２はそれぞれ、各種の駆動回路（例えば、走査線駆動回路や信号線駆動回路、電源線駆動回路等）を含む半導体チップ等を用いて構成されている。
【００２７】  ここで、詳細は後述するが、表示パネル１１１，１１２ではそれぞれ、各発光素子２１１に対して印加される駆動電圧Ｖｄ１、各光制御素子２２１に対して印加される駆動電圧Ｖｄ２に応じて、画素２１０，２２０単位で発光量または光反射量がそれぞれ変化する。そして、そのような発光量や光変化量の変化に伴って、画素２１０，２２０単位でその光透過性が変化するようになっている。ただし、駆動電圧Ｖｄ１，Ｖｄ２の印加の有無（電圧の大きさ）と、光透過性の有無（度合い）との対応関係は、後述する対応関係には限られず、他の対応関係（例えば逆の対応関係）であってもよい。
【００２８】［断面構成例］  続いて、図４，図５Ａ，図５Ｂ，図６，図７Ａ，図７Ｂを参照して、表示パネル１１１，１１２（画素２１０，２２０）の断面構成例について説明する。
【００２９】（表示パネル１１１）  図４は、表示パネル１１１（画素２１０）の概略構成例を模式的に断面図で表したものである。表示パネル１１１における各画素２１０は、この例では、有機ＥＬ（Electro Luminescence）素子（有機電界発光素子）からなる発光素子２１１を含んで構成されている。
【００３０】  表示パネル１１１は、この例では、上面発光方式（いわゆるトップエミッション方式）をベースとした構造を用いて、前述したように表示面Ｓ１，Ｓ２側の双方へ向けて表示光Ｌｄ１を出射し、カラーの映像表示を行うものとなっている。つまり、各画素２１０からは、例えば、赤（Ｒ），緑（Ｇ），Ｂ（青）の３原色のうちのいずれかに対応する表示光Ｌｄ１が出射されるようになっている。
【００３１】  各画素２１０における発光素子２１１（有機ＥＬ素子）は、封止基板３７によって駆動基板３０上に封止されている。各発光素子２１１では、第１電極（下部電極）３１上に、画素間絶縁膜３２、有機層３３および第２電極（上部電極）３４がこの順に積層されている。表示パネル１１１では、各発光素子２１１を覆うように保護膜３５が形成され、この保護膜３５上に、ブラックマトリクス３６を介して封止基板３７が貼り合わせられている。有機層３３は、図示しない正孔注入層、正孔輸送層、発光層および電子輸送層などを含んでいる。これらのうちの発光層は、例えば上記した３原色に対応する画素２１０ごとに異なる色光を発する層（赤色発光層、緑色発光層または青色発光層）であり、それらの画素２１０ごとに所定のパターンで塗り分けられている。また、保護層３５上における画素２１０間の領域には、ブラックマトリクス３６が設けられている。
【００３２】  なお、各発光素子２１１の表示面Ｓ１側（上方）および表示面Ｓ２側（下方）のうちの少なくとも一方に、映像表示時のコントラストを向上させること等を目的として、例えば上記した３原色に対応するカラーフィルタを設けるようにしてもよい。また、この例では、表示パネル１１１が上面発光方式をベースとした構造となっているが、これには限られず、例えば下面発光方式（いわゆるボトムエミッション方式）をベースとした構造であってもよい。
【００３３】  ここで、表示パネル１１１では、上記した各層においてその少なくとも一部分が光透過性（透明性）を示すように、各層が光透過性材料（透明材料）を用いて構成されている。具体的には、駆動基板３０および封止基板３７はそれぞれ、例えばガラス基板や光透過性樹脂基板等を用いて構成されている。また、第１電極３１、第２電極３４、および駆動基板３０における各素子の電極や配線等は、例えば、ＩＴＯ，ＩＺＯ（Indium Zink Oxide：酸化インジウム亜鉛），ＡＺＯ（Aluminum Zink Oxide：酸化亜鉛アルミニウム）等の透明酸化物半導体や、透明炭素等の光透過性材料からなる。有機層３３および保護膜３５等も、各種の光透過性材料からなる。
【００３４】  このような構成により表示パネル１１１では、各発光素子２１１に対して印加される駆動電圧Ｖｄ１に応じて、画素２１０単位で発光量が変化する。そして、そのような発光量の変化に伴って光透過量も変化する結果、画素２１０単位でその光透過性が変化するようになっている。
【００３５】  具体的には、例えば図５Ａに示したように、画素２１０内の発光素子２１１に対して駆動電圧Ｖｄ１が印加されていない（あるいはその電圧値が小さい）ときには、表示面Ｓ１側から入射する外光Ｌｅおよび表示面Ｓ２側から入射する外光Ｌｅの双方とも、その画素２１０を透過する。つまり、このときには、表示パネル１１１における対応画素２１０が光透過性（透明性）を示し、透明状態となる。
【００３６】  一方、例えば図５Ｂに示したように、画素２１０内の発光素子２１１に対して駆動電圧Ｖｄ１が印加されている（電圧値が大きい）ときには、前述したように、その発光素子２１１から表示面Ｓ１側および表示面Ｓ２側の双方へ向けて、発光光（表示光Ｌｄ１）が出射する。つまり、このときには、表示パネル１１１における対応画素２１０が光透過性を示さなくなり、非透明状態（表示光Ｌｄ１による表示状態）となる。
【００３７】（表示パネル１１２）  図６は、表示パネル１１２（画素２２０）の概略構成例を模式的に断面図で表したものである。表示パネル１１２における各画素２２０は、この例では、コレステリック液晶を用いて構成された液晶素子からなる光制御素子２２１を含んで構成されている。
【００３８】  表示パネル１１２もまた、表示パネル１１１と同様に、カラーの映像表示を行うものとなっている。つまり、各画素２２０からは、例えば、赤（Ｒ），緑（Ｇ），Ｂ（青）の３原色のうちのいずれかに対応する表示光Ｌｄ２が出射されるようになっている。
【００３９】  この表示パネル１１２では、駆動基板４０と透明基板４５との間に、駆動基板４０側から順に、画素電極４１、液晶層４２、共通電極４３、および、ブラックマトリクス４４Ｍもしくはカラーフィルタ４４Ｃが設けられている。カラーフィルタ４４Ｃは画素２２０ごとに配置され、ブラックマトリクス４４Ｍは画素２２０間の領域に配置されている。液晶層４２は、コレステリック液晶からなる。これらのうち、画素電極４１、液晶層４２および共通電極４３を用いて、光制御素子２２１（液晶素子）が構成されている。
【００４０】  ここで、表示パネル１１２においても表示パネル１１１と同様に、上記した各層においてその少なくとも一部分が光透過性を示すように、各層が光透過性材料を用いて構成されている。具体的には、駆動基板４０および透明基板４５はそれぞれ、例えばガラス基板や光透過性樹脂基板等を用いて構成されている。また、画素電極４１、共通電極４３、および駆動基板４０における各素子の電極や配線等は、例えば、ＩＴＯ，ＩＺＯ，ＡＺＯ等の透明酸化物半導体や、透明炭素等の光透過性材料からなる。
【００４１】  このような構成の表示パネル１１２（画素２２０）では、各光制御素子２２１に対して印加される駆動電圧Ｖｄ２に応じて、画素２２０単位で光反射量が変化する。そして、そのような光反射量の変化に伴って光透過量も変化する結果、表示パネル１１１と同様に、画素２２０単位でその光透過性が変化するようになっている。
【００４２】  具体的には、例えば図７Ａに示したように、画素２２０内の光制御素子２２１に対して駆動電圧Ｖｄ２が印加されていない（あるいはその電圧値が小さい）ときには、表示面Ｓ１側から入射する外光Ｌｅおよび表示面Ｓ２側から入射する外光Ｌｅの双方とも、その画素２２０（光制御素子２２１）を透過する。つまり、このときには、表示パネル１１２における対応画素２２０が光透過性を示し、透明状態となる。
【００４３】  一方、例えば図７Ｂに示したように、画素２２０内の光制御素子２２１に対して駆動電圧Ｖｄ２が印加されている（電圧値が大きい）ときには、以下のようになる。すなわち、その画素２２０（光制御素子２２１）では、前述したように、表示面Ｓ１側から入射する入射光（外光Ｌｅ等）と、表示面Ｓ２側から入射する入射光（外光Ｌｅ等）との双方について、反射させる光制御がなされる。その結果、その入射光に基づく表示光Ｌｄ２が、表示面Ｓ１側および表示面Ｓ２側の双方へ出射され、反射型映像表示が行われる。つまり、このときには、表示パネル１１２における対応画素２２０が光透過性を示さなくなり、非透明状態（表示光Ｌｄ２による表示状態）となる。
【００４４】［作用・効果］（Ａ．基本動作）  この電子機器１（表示装置）では、例えば図２に示したように、表示パネル１１１，１１２用の映像信号Ｓｖ１，Ｓｖ２がそれぞれ、表示制御部１５内の制御部１５０へと供給される。また、この制御部１５０に対して、操作部１２ａ，１２ｂ，１２ｃから操作信号Ｓｍが、重力位置センサ１３から重力位置信号Ｓｇが、照度センサ１４から環境照度値Ｄｉがそれぞれ供給される。制御部１５０は、これらの映像信号Ｓｖ１，Ｓｖ２、操作信号Ｓｍ、重力位置信号Ｓｇおよび環境照度値Ｄｉに基づいて、駆動部１５１，１５２の動作をそれぞれ制御する。駆動部１５１，１５２は、この制御部１５０による制御に従って、映像信号Ｓｖ１，Ｓｖ２に基づく駆動電圧Ｖｄ１，Ｖｄ２をそれぞれ、表示パネル１１１，１１２における各画素２１０，２２０へと供給する。
【００４５】  このようにして、各表示パネル１１１，１１２における映像表示が、表示制御部１５によって個別に制御される（映像表示の個別制御が行われる）。そして、表示パネル１１１は、相対的に表示面Ｓ１の側に配置され、表示面Ｓ１側および表示面Ｓ２側の双方へ向けて表示光Ｌｄ１を出射する。また、表示パネル１１２は、相対的に表示面Ｓ２の側に配置され、表示面Ｓ１側および表示面Ｓ２側の双方へ向けて表示光Ｌｄ２を出射する。その結果、この電子機器１（表示装置）では、これら２種類の表示パネル１１１，１１２を利用して、互いに対向する２つの表示面Ｓ１，Ｓ２の双方での映像表示（両面表示）が実現される。
【００４６】（Ｂ．各動作時の作用の概要）  続いて、図８Ａ〜図１３Ｂ等を参照して、電子機器１（表示装置）の各動作時（待機動作時および映像表示動作時）における作用の概要について説明する。
【００４７】（待機動作時）  まず、電子機器１の待機動作時（待機状態時）には、例えば図８Ａ，図８Ｂに示したように、各表示パネル１１１，１１２における画素領域（画素２１０，２２０の配置領域）がいずれも透明状態となるように、表示制御がなされる。換言すると、表示制御部１５は、操作信号Ｓｍ等に基づいて電子機器１が待機状態であることが検知されたときには、各表示パネル１１１，１１２における画素領域がいずれも透明状態となるように、表示制御を行う。
【００４８】  なお、図８Ａに示した例は、表示面Ｓ１が上側となるようにして、待機状態である電子機器１を、ユーザが手ｈで持っている状態を示している。また、図８Ｂに示した例は、表示面Ｓ２が上側となるようにして、待機状態である電子機器１を、ユーザが手ｈで持っている状態を示している。
【００４９】  ここで、図８Ａ，図８Ｂの例ではそれぞれ、例えば図９Ａ，図９Ｂに示したように、表示制御部１５は、表示パネル１１１における各画素２１０および表示パネル１１２における各画素２２０のいずれに対しても、駆動電圧Ｖｄ１，Ｖｄ２を供給しない。これにより表示パネル１１１，１１２ではそれぞれ、前述したように、表示面Ｓ１側から入射する外光Ｌｅおよび表示面Ｓ２側から入射する外光Ｌｅの双方とも、各画素２１０，２２０を透過する。その結果、表示パネル１１１，１１２における全ての画素２１０，２２０が光透過性を示すようになり、図８Ａ，図８Ｂに示した透明状態となる。
【００５０】  このようにして、電子機器１（表示装置）の待機状態時には、表示面Ｓ１側および表示面Ｓ２側のどちらから見ても、表示部１１が透明状態（透明なパネル）となる。よって、先進的な輝きのあるイメージのディスプレイデザインが実現可能となる。
【００５１】（映像表示動作時：背景が透明状態の場合）  次に、電子機器１の映像表示動作時には、第１の例として、例えば図１０Ａ，図１０Ｂに示したように、表示部１１の一部分に映像が表示されつつ、その映像の背景部分が透明状態となる場合が挙げられる。換言すると、表示制御部１５は、そのような表示モードの設定が指示されたときには、そのような部分的な映像表示状態および透明状態となるように、表示パネル１１１，１１２における表示制御を行う。
【００５２】  なお、図１０Ａに示した例は、表示面Ｓ１が上側となるようにして、この表示面Ｓ１上に映像（「Ａ」という文字）が部分的に表示されている電子機器１を、ユーザが手ｈで持っている状態を示している。また、図１０Ｂに示した例は、表示面Ｓ２が上側となるようにして、この表示面Ｓ２上に映像（「Ｂ」という文字）が部分的に表示されている電子機器１を、ユーザが手ｈで持っている状態を示している。
【００５３】  このとき、図１０Ａの例では、例えば図１１Ａに示したように、表示制御部１５は、表示パネル１１１において以下の表示制御を行う。すなわち、表示画素領域の画素２１０に対しては駆動電圧Ｖｄ１を供給し、背景領域（非表示画素領域）の画素２１０に対しては駆動電圧Ｖｄ１を供給しない。一方、表示制御部１５は、この第１の例では、表示パネル１１２における全ての画素２２０に対して、駆動電圧Ｖｄ２を供給しない。これにより表示パネル１１１における表示画素領域では、前述したように発光素子２１１から表示面Ｓ１側および表示面Ｓ２側の双方へ向けて発光光（表示光Ｌｄ１）が出射し、非透明状態となる。また、表示パネル１１１における背景領域では、前述したように表示面Ｓ１側から入射する外光Ｌｅおよび表示面Ｓ２側から入射する外光Ｌｅの双方が透過し、透明状態となる。一方、表示パネル１１２では、全ての画素２２０において、前述したように表示面Ｓ１側から入射する外光Ｌｅおよび表示面Ｓ２側から入射する外光Ｌｅの双方が透過し、透明状態となる。このようにして図１０Ａに示したように、表示面Ｓ１が上側である場合において、表示部１１の部分的な映像表示状態および透明状態が実現される。ちなみに、この場合、表示光Ｌｄ１が表示面Ｓ１，Ｓ２の双方の側へ出射されることから、表示面Ｓ１側（上側）からだけでなく表示面Ｓ２側（下側）からも、表示映像（「Ａ」という文字）を視認可能となる。
【００５４】  一方、図１０Ｂの例では、例えば図１１Ｂに示したように、表示制御部１５は、表示パネル１１２において以下の表示制御を行う。すなわち、表示画素領域の画素２２０に対しては駆動電圧Ｖｄ２を供給し、背景領域（非表示画素領域）の画素２２０に対しては駆動電圧Ｖｄ２を供給しない。一方、表示制御部１５は、この第１の例では、表示パネル１１１における全ての画素２１０に対して、駆動電圧Ｖｄ１を供給しない。これにより表示パネル１１２における表示画素領域では、前述したように、表示面Ｓ１，Ｓ２の双方の側から入射する入射光（外光Ｌｅ等）について、その入射光に基づく表示光Ｌｄ２が表示面Ｓ１側および表示面Ｓ２側へ出射され、反射型映像表示が行われる。つまり、入射光が反射されるため、表示画素領域２１０は非透明状態となる。また、表示パネル１１２における背景領域では、前述したように表示面Ｓ１側から入射する外光Ｌｅおよび表示面Ｓ２側から入射する外光Ｌｅの双方が透過し、透明状態となる。一方、表示パネル１１１では、全ての画素２１０において、前述したように表示面Ｓ１側から入射する外光Ｌｅおよび表示面Ｓ２側から入射する外光Ｌｅの双方が透過し、透明状態となる。このようにして図１０Ｂに示したように、表示面Ｓ２が上側である場合において、表示部１１の部分的な映像表示状態および透明状態が実現される。ちなみに、この場合も、表示光Ｌｄ２が表示面Ｓ１，Ｓ２の双方の側へ出射されることから、表示面Ｓ２側（上側）からだけでなく表示面Ｓ１側（下側）からも、表示映像（「Ｂ」という文字）を視認可能となる。
【００５５】  このようにして、電子機器１（表示装置）の映像表示動作時の第１の例では、表示部１１の一部で映像表示を行いつつも、その背景部分においては上記した待機状態時と同様に、表示面Ｓ１側および表示面Ｓ２側のどちらから見ても表示部１１が透明状態となる。よって、先進的な輝きのあるイメージをある程度保持しつつ、必要な映像表示を行うことが可能となる。
【００５６】  ただし、この第１の例では、状況によっては以下のようなデメリットが生じ、ユーザの利便性が低下してしまうおそれがある。
【００５７】  具体的には、図１０Ａ，図１１Ａに示した例（表示面Ｓ１が上側の場合の例）では、上記したように、表示画素領域の発光素子２１１から表示面Ｓ１，Ｓ２の双方の側へ表示光Ｌｄ１が出射されると共に、表示面Ｓ２側への表示光Ｌｄ１が表示パネル１１２を透過する。したがって、表示面Ｓ１側（あるいは表示面Ｓ２側）から表示映像を視認したときに、その方向（片側）での表示輝度が相対的に半分（１／２）の値になることから、コントラストが低下し、表示画質が劣化してしまうおそれがある。
【００５８】  一方、図１０Ｂ，図１１Ｂに示した例（表示面Ｓ２が上側の場合の例）では、上記したように、表示画素領域の光制御素子２２１において、外光Ｌｅ等の入射光に基づく反射型映像表示がなされる。この場合、外光Ｌｅがほとんど無い暗い環境下（環境照度値が低い状況下）では、表示映像が見にくくなってしまう（あるいは、ほとんど見えなくなってしまう）おそれがある。
【００５９】（映像表示動作時：背景が単色反射表示状態または単色表示状態の場合）  そこで、電子機器１の映像表示動作時に、第２の例として、例えば図１２Ａ，図１２Ｂに示したような表示制御を表示制御部１５において行う場合が挙げられる。
【００６０】  なお、図１２Ａに示した例は、図１０Ａ，図１１Ａの例と同様に、表示面Ｓ１が上側となるようにして、この表示面Ｓ１上に映像（「Ａ」という文字）が部分的に表示されている状態を示している。また、図１２Ｂに示した例は、図１０Ｂ，図１１Ｂの例と同様に、表示面Ｓ２が上側となるようにして、この表示面Ｓ２上に映像（「Ｂ」という文字）が部分的に表示されている状態を示している。
【００６１】  ここで、図１２Ａの例では、表示制御部１５は、表示パネル１１１において、第１の例（図１０Ａ，図１１Ａの例）と同様の表示制御を行う。すなわち、表示画素領域の画素２１０に対しては駆動電圧Ｖｄ１を供給し、背景領域の画素２１０に対しては駆動電圧Ｖｄ１を供給しない。一方、表示制御部１５は、この第２の例では第１の例とは異なり、表示パネル１１２における全ての画素２２０に対して、同一（共通）の駆動電圧Ｖｄ２を供給する。これにより、表示パネル１１２における全画素領域が、反射型映像表示による単色反射表示状態（例えば、全白表示状態）となる。したがって、表示画素領域の発光素子２１１から表示面Ｓ２側へ出射された表示光Ｌｄ１が、表示パネル１１２内の光制御素子２２１で反射され、最終的に表示面Ｓ１側へ出射されることになる。つまり、表示パネル１１２内の光制御素子２２１における光制御（光反射）を利用することで、表示パネル１１１における映像表示時のコントラストを補強（補助）する効果（表示光Ｌｄ１の利用効率を向上させる効果）が得られる。
【００６２】  その結果、例えば図１３Ａに示したように、この第２の例では、表示面Ｓ１側から表示映像を視認したときに、表示輝度の低下に伴うコントラストの低下が低減もしくは回避され、第１の例と比べて表示画質が向上する（ユーザの利便性が向上する）ことになる。なお、この図１３Ａの例では、表示パネル１１２における全画素領域が単色反射表示状態となることから、図１１Ａに示した第１の例とは異なり、表示部１１における背景部分も単色反射表示状態（非透明状態）となる。
【００６３】  一方、図１２Ｂの例では、表示制御部１５は、表示パネル１１２において、第１の例（図１０Ｂ，図１１Ｂの例）と同様の表示制御を行う。すなわち、表示画素領域の画素２２０に対しては駆動電圧Ｖｄ２を供給し、背景領域の画素２２０に対しては駆動電圧Ｖｄ２を供給しない。一方、表示制御部１５は、この第２の例では第１の例とは異なり、表示パネル１１１における全ての画素２１０に対して、同一（共通）の駆動電圧Ｖｄ１を供給する。これにより、表示パネル１１１における全画素領域が、発光素子２１１の発光による単色表示状態（例えば、全白表示状態や特定の色表示状態等）となる。つまり、表示パネル１１１から（表示面Ｓ１側へ）出射される表示光Ｌｄ１を、表示パネル１１２における映像表示の際に補助的に利用することができ、この表示パネル１１１が補助光源（バックライト）として機能するようになる。
【００６４】  その結果、例えば図１３Ｂに示したように、この第２の例では第１の例とは異なり、表示面Ｓ２側から表示映像を視認する際に、外光Ｌｅがほとんど無い暗い環境下（環境照度値が低い状況下）においても、表示映像が見易くなる（ユーザの利便性が向上する）。なお、この図１３Ｂの例においても、表示パネル１１１における全画素領域が単色表示状態となることから、図１１Ｂに示した第１の例とは異なり、表示部１１における背景部分も単色表示状態（非透明状態）となる。
【００６５】  このようにして、映像表示時において第２の例を用いた場合、表示パネル１１１における発光素子２１１の機能（素子機能）と、表示パネル１１２における光制御素子２２１の機能とを相互に補完したうえで、表示面Ｓ１，Ｓ２での映像表示（両面表示）が実現される。その結果、ユーザの利便性の向上が図られる。
【００６６】（Ｃ．複数種類の表示モードについて）  続いて、図１４〜図１８等を参照して、電子機器１（表示装置）において設定可能な複数種類（この例では６種類）の表示モードについて説明する。換言すると、表示制御部１５は、これまでに説明した画素２１０，２２０単位での光透過性の変化を利用した複数種類の表示モードのうち、選択された一の表示モードが実行されるように、表示パネル１１１，１１２における映像表示の個別制御を行う。
【００６７】  なお、詳細は後述するが、このような表示モードは、例えば、省エネルギー性，周囲の光環境，画面デザインや画質の好み（選択性），映像の種類等に応じて、任意に設定（選択，切り替え）することが可能である。また、その際の選択手法についても、ユーザによる操作部１２ａ，１２ｂ，１２ｃへの入力操作を利用した手動選択（マニュアル制御）、および、後述する照度センサ１４における検出結果等を利用した自動選択（自動制御）のうち、一方だけを利用してもよいし、双方を組み合わせて利用してもよい。
【００６８】（第１〜第３の表示モード：表示面Ｓ１が上側の場合）  最初に、図１４および図１５等を参照して、上記した６種類の表示モードのうちの３種類の表示モード（第１〜第３の表示モード）について説明する。これら第１〜第３の表示モードは、以下説明するように、表示面Ｓ１が上側であることが検知された場合に設定される表示モードである。
【００６９】  ここでは、例えば図１４（Ａ）に示したように表示面Ｓ２が上側である状態から、例えば図１４（Ｂ）に示したように表示面Ｓ１が上側である状態へと、電子機器１（表示装置）を反転させた（裏返した）場合（図１４中の矢印Ｐ１１参照）を例に挙げて説明する。
【００７０】  この場合、表示制御部１５では、重力位置センサ１３において得られる重力位置信号Ｓｇによって、表示面Ｓ２が上側の状態から表示面Ｓ１が上側の状態へと変化したと判断すると、以下のようにして表示制御を行う。すなわち、例えば図１４（Ａ）に示したように、表示面Ｓ２側の表示パネル１１２での映像表示（この例では「Ｂ」という文字の部分的な表示）の状態から、例えば図１４（Ｂ）に示したように、表示面Ｓ１側の表示パネル１１１での同一の映像表示の状態へと、映像表示の切り替え制御を行う。
【００７１】  なお、このとき、例えば図１４（Ｂ）中の符号Ｐ１２で示したように、例えば以下の情報などが、表示部１１（表示面Ｓ１）上に一時的に表示されるようにしてもよい。すなわち、例えば、表示パネル１１２での映像表示状態から表示パネル１１１での映像表示状態への切り替えがなされたことで、「消費電力が増加する」旨や、「高画質モードになる」旨の情報などが、一時的に表示されるようにしてもよい。また、選択された表示モードにおける消費電力の目安情報（例えば、電子機器１における内蔵電池の持続時間など）が、表示部１１（表示面Ｓ１）上に表示されるようにしてもよい。それらの情報が表示されるようにした場合、ユーザにとって有用な情報が提供されることで、ユーザの利便性の更なる向上が図られる。
【００７２】  そして、表示制御部１５は、このようにして、表示面Ｓ１側の表示パネル１１１における少なくとも一部の画素領域で、発光素子２１１による映像表示（表示面Ｓ１，Ｓ２の双方の側への表示光Ｌｄ１の出射）が行われている場合に、以下の表示制御を行う。すなわち、以下説明する第１〜第３の表示モードのうちから選択された一の表示モードが実行（設定）されるように、表示パネル１１１，１１２における映像表示の個別制御を行う。
【００７３】  ここで、第１の表示モードに設定された場合、例えば図１５（Ａ）に示したようになる。すなわち、表示制御部１５は、上記したように、表示面Ｓ１側（表側）の表示パネル１１１では、発光素子２１１による発光状態を利用して映像表示が行われるように、表示制御を行う。一方、表示面Ｓ２側（裏側）の表示パネル１１２では、表示制御部１５は、光制御素子２２１による入射光（外光Ｌｅ等）の透過を利用して、表示パネル１１２の全ての画素領域が透明状態（光透過状態）となるように、表示制御を行う。つまり、この第１の表示モードは、前述した図１０Ａ，図１１Ａの例（映像表示時の第１の例）に対応している。
【００７４】  このような第１の表示モードでは、前述したように、表示部１１（表示面Ｓ１）の一部で映像表示を行いつつも、その背景部分においては、表示面Ｓ１側および表示面Ｓ２側のどちらから見ても表示部１１が透明状態となる。よって、先進的な輝きのあるイメージをある程度保持しつつ、必要な映像表示を行うことが可能となる。
【００７５】  また、第２の表示モードに設定された場合、例えば図１５（Ｂ）に示したようになる。すなわち、表示制御部１５は、表示面Ｓ１側の表示パネル１１１については、第１の表示モードと同様にして表示制御を行う。一方、表示面Ｓ２側の表示パネル１１２では、表示制御部１５は、光制御素子２２１による入射光（表示光Ｌｄ１，外光Ｌｅ等）に基づく反射型映像表示を利用して、表示パネル１１２の全ての画素領域が単色反射表示状態となるように、表示制御を行う。つまり、この第２の表示モードは、前述した図１２Ａ，図１３Ａの例（映像表示時の第２の例）に対応している。
【００７６】  このような第２の表示モードでは、前述したように、表示面Ｓ１側から表示映像を視認したときに、表示輝度の低下に伴うコントラストの低下が低減もしくは回避される結果、第１の表示モードと比べて表示画質が向上し、ユーザの利便性の向上が図られる。
【００７７】  第３の表示モードに設定された場合、例えば図１５（Ｃ）に示したようになる。すなわち、表示制御部１５は、表示面Ｓ１側の表示パネル１１１については、第１，第２の表示モードと同様にして表示制御を行う。一方、表示面Ｓ２側の表示パネル１１２では、部分的な単色反射表示状態および透明状態となるように、表示制御を行う。具体的には、表示パネル１１１における表示画素領域に対応（対向）する画素領域付近が、第２の表示モードと同様の原理にて単色反射表示状態となるように、表示制御を行う。また、表示パネル１１１における非表示画素領域（透明画素領域，背景領域）付近が、第１の表示モードと同様の原理にて透明状態となるように、表示制御を行う。つまり、この第３の表示モードでは、表側に位置する表示パネル１１１における表示映像と関連付けたうえで、裏側に位置する表示パネル１１２での部分的な単色反射表示が行われる。
【００７８】  このような第３の表示モードでは、まず、第１の表示モードと同様に、表示部１１（表示面Ｓ１）の一部で映像表示を行いつつも、その背景部分においては、表示面Ｓ１側および表示面Ｓ２側のどちらから見ても表示部１１が透明状態となる。また、表示画素領域においては、表示パネル１１１，１１２の双方での選択的な重ね合わせによる映像表示が行われることから、第２の表示モードと同様の原理によるコントラストの向上効果が、表示画素領域において選択的に得られることになる。よって、第１，第２の表示モードにおける双方の利点をそれぞれ享受することができ、先進的な輝きのあるイメージをある程度保持しつつ、必要な映像表示を高画質にて行うことが可能となる。その結果、この第３の表示モードでは、ユーザの利便性の更なる向上が図られる。
【００７９】  ここで、このような第１〜第３の表示モードのうちの一の表示モードの選択は、例えば前述したように、ユーザによる操作部１２ａ，１２ｂ，１２ｃへの入力操作により得られる操作信号Ｓｍに従って設定される。また、第２および第３の表示モードの際の、表示パネル１１２における単色反射表示状態での色（前述した白以外の任意の色である、例えば赤，緑，青など）の設定や、第３の表示モードの際の、単色反射表示状態または透明状態となる画素領域の部分設定などもそれぞれ、この操作信号Ｓｍに従って任意に調整（設定）可能としてもよい。そのようにした場合、ユーザの好みや使用環境等に応じてそれらの設定が任意に調整できるため、ユーザの利便性の更なる向上が図られる。
【００８０】  このようにして電子機器１では、表示面Ｓ１が上側であることが検知された場合において、例えば後述する各種の指標に応じて第１〜第３の表示モードが任意に設定可能であることから、ユーザの利便性の更なる向上が可能となる。
【００８１】（第４〜第６の表示モード：表示面Ｓ２が上側の場合）  次いで、図１６および図１７等を参照して、上記した６種類の表示モードのうちの残りの３種類の表示モード（第４〜第６の表示モード）について説明する。これら第４〜第６の表示モードは、以下説明するように、表示面Ｓ２が上側であることが検知された場合に設定される表示モードである。
【００８２】  ここでは、例えば図１６（Ａ）に示したように表示面Ｓ１が上側である状態から、例えば図１６（Ｂ）に示したように表示面Ｓ２が上側である状態へと、電子機器１（表示装置）を反転させた場合（図１６中の矢印Ｐ２１参照）を例に挙げて説明する。
【００８３】  この場合、表示制御部１５では、重力位置センサ１３において得られる重力位置信号Ｓｇによって、表示面Ｓ１が上側の状態から表示面Ｓ２が上側の状態へと変化したと判断すると、以下のようにして表示制御を行う。すなわち、例えば図１６（Ａ）に示したように、表示面Ｓ１側の表示パネル１１１での映像表示（この例では「Ａ」という文字の部分的な表示）の状態から、例えば図１６（Ｂ）に示したように、表示面Ｓ２側の表示パネル１１２での同一の映像表示の状態へと、映像表示の切り替え制御を行う。
【００８４】  なお、このとき、例えば図１６（Ｂ）中の符号Ｐ２２で示したように、例えば以下の情報などが、表示部１１（表示面Ｓ２）上に一時的に表示されるようにしてもよい。すなわち、例えば、表示パネル１１１での映像表示状態から表示パネル１１２での映像表示状態への切り替えがなされたことで、「消費電力が低減する」旨や、「携行モードになる」旨の情報などが、一時的に表示されるようにしてもよい。また、この場合も前述したように、選択された表示モードにおける消費電力の目安情報が、表示部１１（表示面Ｓ２）上に表示されるようにしてもよい。更に、この場合には、照度センサ１４により検知された環境照度値Ｄｉの指標値が、表示部１１（表示面Ｓ２）上に表示されるようにしてもよい。それらの情報が表示されるようにした場合、ユーザにとって有用な情報が提供されることで、ユーザの利便性の更なる向上が図られる。
【００８５】  そして、表示制御部１５は、このようにして、表示面Ｓ２側の表示パネル１１２における少なくとも一部の画素領域で、光制御素子２２１による反射型映像表示（表示面Ｓ１，Ｓ２の双方の側への表示光Ｌｄ２の出射）が行われている場合に、以下の表示制御を行う。すなわち、以下説明する第４〜第６の表示モードのうちから選択された一の表示モードが実行（設定）されるように、表示パネル１１１，１１２における映像表示の個別制御を行う。
【００８６】  ここで、第４の表示モードに設定された場合、例えば図１７（Ａ）に示したようになる。すなわち、表示制御部１５は、上記したように、表示面Ｓ２側（表側）の表示パネル１１２では、光制御素子２２１による入射光（外光Ｌｅ等）の反射を利用して反射型映像表示が行われる（光反射状態となる）ように、表示制御を行う。一方、表示面Ｓ１側（裏側）の表示パネル１１１では、表示制御部１５は、発光素子２１１による非発光状態（消灯状態）を利用して、表示パネル１１１の全ての画素領域が透明状態（光透過状態）となるように、表示制御を行う。つまり、この第４の表示モードは、前述した図１０Ｂ，図１１Ｂの例（映像表示時の第１の例）に対応している。
【００８７】  このような第４の表示モードでは、前述したように、表示部１１（表示面Ｓ２）の一部で映像表示を行いつつも、その背景部分においては、表示面Ｓ１側および表示面Ｓ２側のどちらから見ても表示部１１が透明状態となる。よって、先進的な輝きのあるイメージをある程度保持しつつ、必要な映像表示を行うことが可能となる。
【００８８】  また、第５の表示モードに設定された場合、例えば図１７（Ｂ）に示したようになる。すなわち、表示制御部１５は、表示面Ｓ２側の表示パネル１１２については、第４の表示モードと同様にして表示制御を行う。一方、表示面Ｓ１側の表示パネル１１１では、表示制御部１５は、発光素子２１１による発光状態（点灯状態）を利用して、表示パネル１１１の全ての画素領域が単色表示状態となるように、表示制御を行う。つまり、この第５の表示モードは、前述した図１２Ｂ，図１３Ｂの例（映像表示時の第２の例）に対応している。
【００８９】  このような第５の表示モードでは、前述したように、表示パネル１１１が補助光源として機能するようになる。したがって、第４の表示モードとは異なり、表示面Ｓ２側から表示映像を視認する際に、外光Ｌｅがほとんど無い暗い環境下においても表示映像が見易くなり、ユーザの利便性の向上が図られる。また、表示面Ｓ２側と表示面Ｓ１側とで表示映像を視認した際の映像質感を異ならせる、といった演出も実現可能となる。
【００９０】  第６の表示モードに設定された場合、例えば図１７（Ｃ）に示したようになる。すなわち、表示制御部１５は、表示面Ｓ２側の表示パネル１１２については、第４，第５の表示モードと同様にして表示制御を行う。一方、表示面Ｓ１側の表示パネル１１１では、部分的な単色表示状態および透明状態となるように、表示制御を行う。具体的には、表示パネル１１２における表示画素領域に対応（対向）する画素領域付近が、第５の表示モードと同様の原理にて単色表示状態となるように、表示制御を行う。また、表示パネル１１２における非表示画素領域（透明画素領域，背景領域）付近が、第４の表示モードと同様の原理にて透明状態となるように、表示制御を行う。つまり、この第６の表示モードでは、表側に位置する表示パネル１１２における表示映像と関連付けたうえで、裏側に位置する表示パネル１１１での部分的な単色表示が行われる。
【００９１】  このような第６の表示モードでは、まず、第４の表示モードと同様に、表示部１１（表示面Ｓ２）の一部で映像表示を行いつつも、その背景部分においては、表示面Ｓ１側および表示面Ｓ２側のどちらから見ても表示部１１が透明状態となる。また、表示画素領域においては、第５の表示モードと同様に、表示面Ｓ２側から表示映像を視認する際に、外光Ｌｅがほとんど無い暗い環境下においても表示映像が見易くなる。更に、この表示画素領域では、表示パネル１１１，１１２の双方での選択的な重ね合わせによる映像表示が行われることから、コントラストの向上効果も得られることになる。よって、第４，第５の表示モードにおける双方の利点等を享受することができ、先進的な輝きのあるイメージをある程度保持しつつ、暗い環境下においても必要な映像表示を高画質にて行うことが可能となる。その結果、この第６の表示モードでは、ユーザの利便性の更なる向上が図られる。
【００９２】  ここで、このような第４〜第６の表示モードのうちの一の表示モードの選択は、例えば前述したように、ユーザによる操作部１２ａ，１２ｂ，１２ｃへの入力操作により得られる操作信号Ｓｍ、または、照度センサ１４により検知された環境照度値Ｄｉに従って設定される。また、第５および第６の表示モードの際の、表示パネル１１１における単色表示状態での色の設定（例えば、白，赤，緑，青など）や、第６の表示モードの際の、単色表示状態または透明状態となる画素領域の部分設定などもそれぞれ、この操作信号Ｓｍに従って任意に調整（設定）可能としてもよい。そのようにした場合、ユーザの好みや使用環境等に応じてそれらの設定が任意に調整できるため、ユーザの利便性の更なる向上が図られる。
【００９３】  このようにして電子機器１では、表示面Ｓ２が上側であることが検知された場合において、例えば以下説明する各種の指標に応じて第４〜第６の表示モードが任意に設定可能であることから、ユーザの利便性の更なる向上が可能となる。
【００９４】（各種の指標と各表示モードとの適応関係について）  ここで、図１８（Ａ）〜（Ｄ）はそれぞれ、各種の指標と各表示モードとの適応関係の一例を模式的に表したものである。なお、ここで挙げた各指標はあくまでも一例であり、他の指標を表示モードの選択の際に利用するようにしてもよい。
【００９５】  まず、図１８（Ａ）では、電子機器１にとっての外部電源の有無（省エネルギー）への適応性に関して、各表示モードとの対応関係の一例を示している。なお、この例では、家の中で使用する場合（外部電源が有りの場合）、庭先もしくは電車の中で使用する場合（外部電源が無しで電池駆動の場合）の各々について、好適であると想定される表示モードを対応付けて示している。
【００９６】  この図１８（Ａ）により、外部電源が有りの場合には、表示面Ｓ１（発光素子２１１を含む表示パネル１１１）を上側として視認する表示モード（第１〜第３の表示モード）を利用して、画質を優先した映像表示を行うのが望ましいと言える。一方、外部電源が無し（電池駆動）の場合には、表示面Ｓ２（光制御素子２２１を含む表示パネル１１２）を上側として視認する表示モード（第４〜第６の表示モード）を利用して、省エネルギー性やモバイル性を優先した映像表示を行うのが望ましいと言える。このような表示モードの設定を行うことで、外部電源の有無（省エネルギー）に適合させた映像表示が実現可能となる。
【００９７】  また、図１８（Ｂ）では、電子機器１を使用する際の周囲の光環境への適応性に関して、各表示モードとの対応関係の一例を示している。なお、この例では、暗闇の中で使用する場合（環境照度値が低い場合）、昼の部屋の中もしくは直射日光下で使用する場合（環境照度値が高い場合）の各々について、好適であると想定される表示モードを対応付けて示している。
【００９８】  この図１８（Ｂ）により、環境照度値が低い（暗い光環境下である）場合には、表示面Ｓ１（発光素子２１１を含む表示パネル１１１）を上側として視認する表示モード（第１〜第３の表示モード）を利用して、自発光による映像表示を行うのが望ましいと言える。一方、環境照度値が高い（明るい光環境下である）場合には、表示面Ｓ２（光制御素子２２１を含む表示パネル１１２）を上側として視認する表示モード（第４〜第６の表示モード）を利用して、反射型の映像表示を行うのが望ましいと言える。このような表示モードの設定を行うことで、周囲の光環境に適合させた映像表示が実現可能となる。
【００９９】  図１８（Ｃ）では、電子機器１（表示部１１）におけるユニークなデザインや個性表現の好み（ファッション性）に関して、各表示モードとの対応関係の一例を示している。なお、この例では、オーソドックスなファッション，個性派主張のファッション、きらめきの演出を示すファッションの各々について、好適であると想定される表示モードを対応付けて示している。
【０１００】  この図１８（Ｃ）により、背景部分が単色反射表示状態または単色表示状態となる第２，第５の表示モードは、比較的オーソドックスな表示モードであると言える。一方、反射型の映像表示を行うと共に背景部分が基本的に透明状態となる第４，第６の表示モードは、比較的個性的な表示モードであると言える。また、自発光による映像表示を行うと共に背景部分が基本的に透明状態となる第１，第３の表示モードは、きらめきの演出を示す表示モードであると言える。このような表示モードの設定を行うことで、各種のフッション性に適合させた映像表示が実現可能となる。
【０１０１】  図１８（Ｄ）では、電子機器１（表示部１１）において表示される映像の種類に応じた適応性に関して、各表示モードとの対応関係の一例を示している。なお、この例では、絵の鑑賞用の映像（静止画）の場合、映画用の映像（動きがそれほど速くはない動画）の場合、スポーツ動画（動きが速い動画）の場合の各々について、好適であると想定される表示モードを対応付けて示している。
【０１０２】  この図１８（Ｄ）により、動画の場合には、表示面Ｓ１（発光素子２１１を含む表示パネル１１１）を上側として視認する表示モード（第１〜第３の表示モード）を利用して、自発光による映像表示を行うのが望ましいと言える。一方、静止画の場合には、表示面Ｓ２（光制御素子２２１を含む表示パネル１１２）を上側として視認する表示モード（第４〜第６の表示モード）を利用して、反射型の映像表示を行うのが望ましいと言える。このような表示モードの設定を行うことで、映像の種類に適合させた映像表示が実現可能となる。
【０１０３】（Ｄ．表示制御の具体例について）  続いて、図１９〜図２４を参照して、電子機器１（表示装置）における表示制御の具体例（電子機器１の電源がオン状態になってからオフ状態になるまでの、一連の表示制御の例）について説明する。
【０１０４】  図１９〜図２４は、表示制御部１５（主に制御部１５０）によるこの一連の表示制御の例を流れ図で表したものである。
【０１０５】  電子機器１の電源がオン（ＯＮ）状態になると、まず、表示制御部１５は、重力位置センサ１３から重力位置信号Ｓｇを取得する（図１９のステップＳ１０１）。続いて、表示制御部１５は、この重力位置信号Ｓｇに基づいて、表示面Ｓ１が上側の状態であるのか否かを判定する（ステップＳ１０２）。ここで、表示面Ｓ１が上側の状態ではない（その他の面が上側の状態である）と判定された場合には（ステップＳ１０２：Ｎ）、後述するステップＳ１１４（図２１）へと進む。
【０１０６】  一方、表示面Ｓ１が上側の状態であると判定された場合には（ステップＳ１０２：Ｙ）、表示制御部１５は、表示パネル１１１（表示面Ｓ１）側での映像表示が開始されるように、表示パネル１１１の表示制御を行う（ステップＳ１０３）。次いで、表示制御部１５は、この表示パネル１１１側での映像表示が固定されるように、表示制御を行う（ステップＳ１０４）。続いて、表示制御部１５は、この表示面Ｓ１上への情報表示（例えば前述したように、「消費電力が増加する」旨や「高画質モードになる」旨の情報など）が開始されるように、表示パネル１１１の表示制御を行う（ステップＳ１０５）。
【０１０７】  次いで、表示制御部１５は、この表示面Ｓ１上への情報表示が終了されるように、表示パネル１１１の表示制御を行う（図２０のステップＳ１０６）。なお、この情報表示の期間は、例えば数秒程度である。次に、表示制御部１５は、操作部１２ａ，１２ｂ，１２ｃから操作信号Ｓｍを取得する（ステップＳ１０７）。そして、表示制御部１５は、この操作信号Ｓｍに基づいて、映像表示を終了させる指示がユーザによりなされたのか否かを判定する（ステップＳ１０８）。ここで、映像表示を終了させる指示がなされたと判定された場合には（ステップＳ１０８：Ｙ）、終了処理に相当するステップＳ１０９，Ｓ１１０（図２４）へと進む。
【０１０８】  この終了処理では、表示制御部１５は、表示パネル１１１（表示面Ｓ１）側での映像表示が終了されると共に、表示パネル１１２（表示面Ｓ２）側での映像表示も終了されるように、表示パネル１１１，１１２の表示制御を行う（図２４のステップＳ１０９，Ｓ１１０）。そして、その後は電子機器１の電源がオフ（ＯＦＦ）状態となり、図１９〜図２４に示した一連の表示制御が終了となる。
【０１０９】  一方、ステップＳ１０８において、映像表示を終了させる指示がなされていないと判定された場合（ステップＳ１０８：Ｎ）、次に表示制御部１５は、操作信号Ｓｍに基づいて、選択された表示モードが第１〜第３の表示モードのうちのいずれであるのかを判定する（ステップＳ１１１）。なお、ここでは表示面Ｓ１が上側の状態であることから、前述したように、第１〜第３の表示モードのうちの一の表示モードが設定可能となっている。
【０１１０】  ここで、ステップＳ１１１において、第１の表示モードが選択されたと判定された場合には、表示パネル１１２への表示制御が行われていない（駆動電圧Ｖｄ２が供給されていない）このままの状態で既に第１の表示モードとなっていることから、ステップＳ１０１（図１９）へと戻る。
【０１１１】  一方、ステップＳ１１１において、第２の表示モードが選択されたと判定された場合には、表示制御部１５は、この第２の表示モードが開始されるように、表示パネル１１２の表示制御を行う。具体的には、前述したように、表示パネル１１２において全画素領域が単色反射表示状態となるように、この表示パネル１１２側での映像表示を開始させる（ステップＳ１１２）。これにより第２の表示モードが開始され、その後はステップＳ１０１（図１９）へと戻る。
【０１１２】  また、ステップＳ１１１において、第３の表示モードが選択されたと判定された場合には、表示制御部１５は、この第３の表示モードが開始されるように、表示パネル１１２の表示制御を行う。具体的には、前述したように、表示パネル１１２において部分的な単色反射表示状態および透明状態となるように、この表示パネル１１２側での映像表示を開始させる（ステップＳ１１３）。これにより第３の表示モードが開始され、その後はステップＳ１０１（図１９）へと戻る。
【０１１３】  ここで、前述したステップＳ１０２において、表示面Ｓ１が上側の状態ではない（その他の面が上側の状態である）と判定された場合（ステップＳ１０２：Ｎ）、次に表示制御部１５は、操作信号Ｓｍに基づいて以下の判定を行う。すなわち、表示面Ｓ２が上側の状態であるのか否かを判定する（図２１のステップＳ１１４）。
【０１１４】  ここで、表示面Ｓ２が上側の状態ではない（表示面Ｓ１，Ｓ２を除いた他の面が上側の状態である）と判定された場合には（ステップＳ１１４：Ｎ）、次に表示制御部１５は、再び、操作部１２ａ，１２ｂ，１２ｃから操作信号Ｓｍを取得する（ステップＳ１１５）。そして、表示制御部１５は、この操作信号Ｓｍに基づいて、表示面Ｓ１，Ｓ２の双方での映像表示（双方向表示，両面表示）を実行させる指示がユーザによりなされたのか否かを判定する（ステップＳ１１６）。ここで、双方向表示を実行させる指示がなされていないと判定された場合には（ステップＳ１１６：Ｎ）、最初のステップＳ１０１（図１９）へと戻ることになる。
【０１１５】  一方、双方向表示を実行させる指示がなされていると判定された場合には（ステップＳ１１６：Ｙ）、表示制御部１５は、この双方向表示が開始されるように、表示パネル１１１，１１２の表示制御を行う。具体的には、まず、表示制御部１５は、表示パネル１１１（表示面Ｓ１）側での映像表示の固定が解除されるように、表示パネル１１１の表示制御を行う（ステップＳ１１７）。続いて、表示制御部１５は、表示パネル１１１側での映像表示が開始されると共に、表示パネル１１２（表示面Ｓ２）側での映像表示も開始されるように、表示パネル１１１，１１２の表示制御を行う（ステップＳ１１８，Ｓ１１９）。これにより双方向表示が開始され、その後はステップＳ１０１（図１９）へと戻る。
【０１１６】  ここで、前述したステップＳ１１４において、表示面Ｓ２が上側の状態であると判定された場合には（ステップＳ１１４：Ｙ）、表示制御部１５は、表示パネル１１２（表示面Ｓ２）側での映像表示が開始されるように、表示パネル１１２の表示制御を行う（ステップＳ１２０）。次いで、表示制御部１５は、この表示パネル１１２側での映像表示が固定されるように、表示制御を行う（ステップＳ１２１）。続いて、表示制御部１５は、この表示面Ｓ２上への情報表示（例えば前述したように、「消費電力が低減する」旨や「携行モードになる」旨の情報など）が開始されるように、表示パネル１１２の表示制御を行う（ステップＳ１２２）。
【０１１７】  次いで、表示制御部１５は、この表示面Ｓ２上への情報表示が終了されるように、表示パネル１１２の表示制御を行う（図２２のステップＳ１２３）。なお、この情報表示の期間も、例えば数秒程度である。次に、表示制御部１５は、操作部１２ａ，１２ｂ，１２ｃから操作信号Ｓｍを取得する（ステップＳ１２４）。そして、表示制御部１５は、この操作信号Ｓｍに基づいて、映像表示を終了させる指示がユーザによりなされたのか否かを判定する（ステップＳ１２５）。ここで、映像表示を終了させる指示がなされたと判定された場合には（ステップＳ１２５：Ｙ）、前述した終了処理（図２４のステップＳ１０９，Ｓ１１０）へと進む。
【０１１８】  一方、ステップＳ１２５において、映像表示を終了させる指示がなされていないと判定された場合（ステップＳ１２５：Ｎ）、次に表示制御部１５は、操作信号Ｓｍに基づいて、第４の表示モードが選択されているのか否かを判定する（ステップＳ１２６）。なお、ここでは表示面Ｓ２が上側の状態であることから、前述したように、第４〜第６の表示モードのうちの一の表示モードが設定可能となっている。
【０１１９】  ここで、第４の表示モードが選択されていると判定された場合には、表示パネル１１１への表示制御が行われていない（駆動電圧Ｖｄ１が供給されていない）このままの状態で既に第４の表示モードとなっていることから、ステップＳ１０１（図１９）へと戻る。
【０１２０】  一方、第４の表示モードが選択されていないと判定された場合には、次に表示制御部１５は、照度センサ１４において検知された環境照度値Ｄｉを取得する（ステップＳ１２７）。そして、表示制御部１５は、この環境照度値Ｄｉが所定の閾値Ｄth未満（Ｄｉ＜Ｄth）であるのか否かを判定する（図２３のステップＳ１２８）。なお、この閾値Ｄthは、例えば、外光下での読書が可能か否か等を判断基準として設定された環境照度値である。ただし、この閾値Ｄthは固定値であるとは限られず、状況に応じて任意の値に変更可能な可変値であってもよい。ここで、環境照度値Ｄｉが閾値Ｄth以上（Ｄｉ≧Ｄth）であると判定された場合（ステップＳ１２８：Ｎ）、環境照度値が相対的に高い（相対的に明るい光環境下である）ことから、前述した理由により、第４の表示モードが自動的に選択（設定）される。したがって、その後は上記したように、このままの状態で既に第４の表示モードとなっていることから、ステップＳ１０１（図１９）へと戻る。
【０１２１】  一方、環境照度値Ｄｉが閾値Ｄth未満（Ｄｉ＜Ｄth）であると判定された場合（ステップＳ１２８：Ｙ）、環境照度値が相対的に低い（相対的に暗い光環境下である）ことから、前述した理由により、第５または第６の表示モードが自動的に選択される。この場合、次に表示制御部１５は、表示パネル１１２（表示面Ｓ２）側での映像表示時の色調が補正されるように、この表示パネル１１２の表示制御を行う（ステップＳ１２９）。そして、表示制御部１５は、第５または第６の表示モードを開始させる前提として、表示パネル１１１（表示面Ｓ１）側での映像表示が開始されるように、この表示パネル１１１の表示制御を行う（ステップＳ１３０）。
【０１２２】  続いて、表示制御部１５は、ステップＳ１２４において取得した操作信号Ｓｍに基づいて、第５の表示モードが選択されたのかを判定する（ステップＳ１３１）。ここで、第５の表示モードが選択されたと判定された場合（ステップＳ１３１：Ｙ）、表示制御部１５は、この第５の表示モードが開始されるように、表示パネル１１１の表示制御を行う。具体的には、前述したように、表示パネル１１１において全画素領域が単色表示状態となるように、この表示パネル１１１側での映像表示を変更させる（ステップＳ１３２）。これにより第５の表示モードが開始され、その後はステップＳ１０１（図１９）へと戻る。
【０１２３】  一方、第６の表示モードが選択されたと判定された場合には（ステップＳ１３１：Ｎ）、表示制御部１５は、この第６の表示モードが開始されるように、表示パネル１１１の表示制御を行う。具体的には、前述したように、表示パネル１１１において部分的な単色表示状態および透明状態となるように、この表示パネル１１１側での映像表示を変更させる（ステップＳ１３３）。これにより第６の表示モードが開始され、その後はステップＳ１０１（図１９）へと戻る。以上で、図１９〜図２４に示した一連の表示制御の説明が終了となる。
【０１２４】  以上のように本実施の形態では、２種類の表示パネル１１１，１１２を有する表示部１１を設けるようにしたので、各表示パネル１１１，１１２における素子機能を相互に補完したうえで、対向する２つの表示面Ｓ１，Ｓ２での映像表示を実現することができる。よって、ユーザの利便性を向上させることが可能となる。
【０１２５】  また、このような２つの表示面Ｓ１，Ｓ２での映像表示（両面表示）が可能となることで、表示部１１（電子機器１）における表示エリアを飛躍的に拡大させることができる。よって、より付加価値の多い情報の表示が可能となり、ユーザの利便性の更なる向上を図ることができる。
【０１２６】  更に、例えば、表示パネル１１１と表示パネル１１２とで異なる映像を重ね合わせて表示するようにした場合には、更に付加価値の多い情報の表示が可能となり、ユーザの利便性の更なる向上を図ることができる。
【０１２７】＜２．変形例＞  続いて、上記実施の形態の変形例（変形例１，２）について説明する。なお、実施の形態における構成要素と同一のものには同一の符号を付し、適宜説明を省略する。
【０１２８】［変形例１］（構成）  図２５は、変形例１に係る表示装置を備えた電子機器（電子機器１Ａ）の外観構成例を、平面図（Ｘ−Ｙ平面図）で模式的に表したものである。本変形例の電子機器１Ａ（表示装置）では、表示部１１が２つ（２つの表示領域）に折り畳み可能に構成されている（図２５中の矢印Ｐ３参照）。具体的には、この表示部１１が、表示部１１ａ（第１の表示部）および表示部１１ｂ（第２の表示部）と、ヒンジ部１１０とから構成されている。
【０１２９】  表示部１１ａは、上記実施の形態で説明した表示部１１と同様に、表示面Ｓ１側に配置された表示パネル１１１と、表示面Ｓ２側に配置された表示パネル１１２とを、その厚み方向（Ｚ軸方向）に重ね合わせた構造を有している。同様に、表示部１１ｂもまた、表示面Ｓ１側に配置された表示パネル１１１と、表示面Ｓ２側に配置された表示パネル１１２とを、その厚み方向に重ね合わせた構造を有している。なお、この例では、表示部１１ａ，１１ｂのいずれも、表示部１１全体を折り畳んだ状態（閉じた状態）で、表示面Ｓ１が内側になると共に表示面Ｓ２が外側になるように、各表示パネル１１１，１１２が配置されている。
【０１３０】  ヒンジ部１１０は、２つの表示部１１ａ，１１ｂ同士を折り畳み自在（開閉自在）に連結する部分である。この例では、折り畳み（開閉）の際の回転軸がＹ軸となるよう、ヒンジ部１１０もまたＹ軸に沿って延伸するように配置されている。
【０１３１】（作用・効果）  このような構成の電子機器１Ａにおいても、基本的には実施の形態の電子機器１と同様の作用により、同様の効果を得ることが可能である。
【０１３２】  また、特にこの電子機器１Ａでは、表示部１１が２つに折り畳み可能となっていることから、例えば使用状況等に応じて以下説明するような様々な表示態様を実現することができ、ユーザの利便性の更なる向上を図ることが可能となる。
【０１３３】  具体的には、例えば図２６Ａに示したように、表示部１１ａ，１１ｂ同士が折り畳まれて閉じている状態であることが検知されたときには、表示制御部１５は、例えば以下のような表示制御を行う。すなわち、表示制御部１５は、これら表示部１１ａ，１１ｂにおいてそれぞれ、表示パネル１１１，１１２における全画素領域がいずれも透明状態となるように、これまでに説明した表示制御を行う。
【０１３４】  なお、表示部１１ａ，１１ｂ同士が折り畳まれた状態であるのか否か（閉じた状態であるのか、あるいは開いた状態であるのか）は、例えばヒンジ部１１０における機構状態に基づいて検知され、例えばそれらの状態を示す検知信号が表示制御部１５へ供給されるようになっている。
【０１３５】  この図２６Ａに示した例では、表示部１１ａ，１１ｂがいずれも透明状態（光透過状態）になる。したがって、例えば電子機器１Ａ（表示装置）の待機状態時などに、表示部１１全体がその表側および裏側のどちらから見ても透明なパネルとなり、先進的な輝きのあるイメージのディスプレイデザインが実現可能となる。また、この場合、表示部１１全体として４つの表示パネル（２つの表示パネル１１１および２つの表示パネル１１２）が重ね合わせられていることから、例えば表示部１１ａ，１１ｂにおいてそれぞれ、第１，第３，第４，第６の表示モードのうちのいずれかを設定することで、以下の効果も得られる。すなわち、３種類や４種類の異なる映像を重ね合わせて表示することで、更に付加価値の多い情報の表示が可能となる。また、同じ映像を３つや４つ重ね合わせて表示することで、ユーザの利便性の更なる向上を図ることが可能となる。
【０１３６】  また、例えば図２６Ｂに示したように、表示部１１ａ，１１ｂ同士がヒンジ部１１０を介して上下方向（垂直方向，この例ではＹ軸方向）に開いている状態であることが検知されたときには、表示制御部１５は、例えば以下のような表示制御を行う。すなわち、表示制御部１５は、これら表示部１１ａ，１１ｂのうちの一方（この例では表示部１１ａ）において、表示面Ｓ１または表示面Ｓ２（この例では表示面Ｓ１）において透明状態による映像表示が行われるように、これまでに説明した表示制御を行う。具体的には、例えば第１，第３，第４，第６の表示モードのうちのいずれか（この例では第１または第３の表示モード）による映像表示が行われるように、表示部１１ａにおける表示パネル１１１，１１２の表示制御を行う。また、それとともに表示制御部１５は、他方（この例では表示部１１ｂ）では、表示面Ｓ１または表示面Ｓ２（この例では表示面Ｓ１）において非透明状態による映像表示が行われるように、これまでに説明した表示制御を行う。具体的には、例えば第２または第５の表示モード（この例では第２の表示モード）による映像表示が行われるように、表示部１１ｂにおける表示パネル１１１，１１２の表示制御を行う。
【０１３７】  この図２６Ｂに示した例では、表示部１１ａにおいて透明状態による映像表示がなされると共に、表示部１１ｂにおいて非透明状態による映像表示がなされることから、例えば以下のような様々な使用態様が実現され、ユーザの利便性の更なる向上を図ることが可能となる。具体的には、一例として、表示部１１ａまたは表示部１１ｂにおける表示面Ｓ２側に小型カメラ（例えば、ＣＭＯＳ（Complementary Metal-Oxide-Semiconductor）イメージセンサ等の撮像素子）が配置されている場合に、以下の使用態様が実現可能となる。すなわち、例えば、表示部１１ａを撮像の際の電子ビューファインダ（高精細かつ大画面）として利用しつつ、表示部１１ｂにおいて各種のアプリケーション用の画面を表示する、といった使用態様が実現可能となる。
【０１３８】  一方、例えば図２６Ｃに示したように、表示部１１ａ，１１ｂ同士がヒンジ部１１０を介して左右方向（水平方向，この例ではＸ軸方向）に開いている状態であることが検知されたときには、表示制御部１５は、例えば以下のような表示制御を行う。すなわち、表示制御部１５は、これら表示部１１ａ，１１ｂにおいてそれぞれ、表示面Ｓ１および表示面Ｓ２のうちの一方である共通表示面（この例では表示面Ｓ１）において非透明状態による映像表示が行われるように、これまでに説明した表示制御を行う。具体的には、例えば第２または第５の表示モード（この例では第２の表示モード）による映像表示が行われるように、表示部１１ａ，１１ｂにおける表示パネル１１１，１１２の表示制御を行う。
【０１３９】  この図２６Ｃに示した例では、表示部１１ａ，１１ｂにおける共通表示面（表示面Ｓ１）においてそれぞれ、非透明状態による映像表示がなされることから、例えば以下のような様々な使用態様が実現され、ユーザの利便性の更なる向上を図ることが可能となる。具体的には、一例として、これらの表示部１１ａ，１１ｂにおける共通表示面全体で、単一の映像表示（２つの表示面Ｓ１同士を組み合わせた大画面表示）を行いつつ、第１〜第６の表示モードを使用することで、ユーザの利便性の更なる向上を図ることが可能となる。
【０１４０】［変形例２］  図２７Ａ，図２７Ｂはそれぞれ、変形例２に係る表示装置を備えた電子機器（電子機器１Ｂ）の外観構成例を、斜視図で模式的に表したものである。本変形例の電子機器１Ｂ（表示装置）では、表示部１１における各表示パネル１１１，１１２等が可撓性（フレキシブル性）を有しており、薄型のフレキシブルディスプレイとして構成されている。また、この例では、筺体１０を含めた電子機器１Ｂ全体としても、フレキシブル性を示すようになっている。
【０１４１】  したがって、例えば図２７Ａに示したように、この電子機器１Ｂは、非使用時（待機状態時等）に、折り畳んだ状態での収納や持ち運びが実現される（図２７Ａ中の矢印Ｐ４参照）。また、これまでに説明したように、そのような非使用時に、例えば表示部１１における各表示パネル１１１，１１１２を透明状態（光透過状態）に設定した場合には、図２７Ａに示したように、シースルーでの折り畳み状態が実現可能となる。
【０１４２】  一方、例えば図２７Ｂに示したように、この電子機器１Ｂの使用時（映像表示時）には、平坦状態を含む任意の湾曲度合い（撓み状態，曲げ状態）での使用が実現される。また、この場合も、これまでに説明した複数種類の表示モード（第１〜第６の表示モード）のうちの一の表示モードを任意に設定して映像表示を行うことが可能である。
【０１４３】  ここで、このような電子機器１Ｂでは、表示部１１における各表示パネル１１１，１１２が、ガラス基板等の代わりに樹脂フィルム等の可撓性基板を用いた構造を有している。また、駆動素子等の各素子は、有機ＴＦＴ等の可撓性素子を用いて構成される。筐体１０もまた、可撓性を有する外装部材となっている。具体的には、この筺体１０は、柔らかく、かつ表示光に対して透明性（光透過性）を有する樹脂フィルム（透明フィルム）、例えばオレフィン系樹脂のような材質により構成されている。
【０１４４】  このような構成の電子機器１Ｂにおいても、基本的には実施の形態の電子機器１と同様の作用により、同様の効果を得ることが可能である。
【０１４５】  また、特にこの電子機器１Ｂでは、各表示パネル１１１，１１２等が可撓性を有していることから、例えば上記したような様々な使用態様や表示態様を実現することができ、ユーザの利便性の更なる向上を図ることが可能となる。
【０１４６】＜３．その他の変形例＞  以上、実施の形態および変形例を挙げて本開示の技術を説明したが、本技術はこれらの実施の形態等に限定されず、種々の変形が可能である。
【０１４７】  例えば、上記実施の形態等では、３種類の表示モード（第１〜第３の表示モードまたは第４〜第６の表示モード）のうちの１つが選択される場合を例に挙げて説明したが、これに限られない。すなわち、これら３種類の表示モードのうちの任意の２種類の表示モードの中から、１つの表示モードが選択されるようにしてもよい。また、これらの場合における表示モードの選択手法についても、上記実施の形態等で説明した手法には限られず、他の手法を用いて、複数種類の表示モードのうちの一の表示モードが選択される（切り換えられる）ようにしてもよい。
【０１４８】  また、複数種類の表示モードとしても、上記実施の形態等で説明した６種類の表示モード（第１〜第６の表示モード）には限られず、他の表示モードを加えて（あるいは代えて）用いるようにしてもよい。
【０１４９】  更に、上記実施の形態等では、各表示パネルにおける表示素子としての発光素子および光制御素子の種類や構造等について具体的に挙げて説明したが、これらには限られない。例えば、有機ＥＬ素子以外の他の発光素子や、コレステリック液晶を用いた液晶素子以外の他の光制御素子を、表示素子として用いるようにしてもよい。また、発光素子については、３原色（Ｒ，Ｇ，Ｂ）ごとの発光ではなく、例えば白色発光を行う発光素子と３原色のカラーフィルタ（この場合、発光素子の上下の双方向に配置）とを用いて、カラー映像表示を行うようにしてもよい。更に、場合によっては、各表示パネルにおける映像表示が、上記実施の形態等で説明したカラー映像表示ではなく、モノクロ映像表示であってもよい。
【０１５０】  加えて、上記変形例１では、表示部が２つに折り畳み可能である（表示部が折り畳み可能な２つの表示部を含む）場合を例に挙げて説明したが、これには限られない。すなわち、例えば、表示部が３つ以上に折り畳み可能である（表示部が折り畳み可能な３つ以上の表示部を含む）ようにしてもよい。
【０１５１】  また、上記実施の形態等では、電子機器および表示装置の構成を具体的に挙げて説明したが、それらの構成には限られない。具体的には、例えば、それらの一部分の構成を他の構成に代えたり、あるいは他の構成を更に加えるようにしてもよい。また、各構成の形状や配置、個数、材料等についても、上記実施の形態等で挙げたものには限られず、他の形状や配置、個数、材料等としてもよい。
【０１５２】  更に、これまでに説明した各種の例を、任意の組み合わせで適用させるようにしてもよい。
【０１５３】  加えて、本開示の表示装置は、上記実施の形態等で挙げた電子機器の一例としてのモバイル機器だけでなく、その他の各種モバイル機器（例えば、電子ブック，ノート型ＰＣ（Personal computer），携帯型オーディオプレーヤ，携帯型動画プレーヤ，携帯電話，ウェアラブル端末など）に適用してもよい。また、本開示の表示装置は、そのようなモバイル機器だけでなく、各種の電子機器（例えば、ＴＶ装置（テレビ受像機），照明機器，窓や鏡等に内蔵された表示装置，電子看板（Digital Signage），カーナビゲーションシステムなど）にも適用することが可能である。
【０１５４】  なお、本明細書中に記載された効果はあくまで例示であって限定されるものではなく、また、他の効果があってもよい。
【０１５５】  なお、本技術は以下のような構成を取ることも可能である。（１）  互いに対向する第１および第２の表示面を有する表示部を備え、  前記表示部は、  前記第１の表示面側に配置され、複数の発光素子を含む第１の表示パネルと、  前記第２の表示面側に配置され、入射光の透過または反射を制御する光制御を行うと共に前記入射光の反射を利用した反射型映像表示を行う複数の光制御素子を含む第２の表示パネルと  を有する表示装置。（２）  前記発光素子は、前記第１および第２の表示面側の双方へ向けて発光光を出射し、  前記光制御素子は、前記第１の表示面側からの前記入射光と前記第２の表示面側からの前記入射光との双方について、前記光制御および前記反射型映像表示を行う  上記（１）に記載の表示装置。（３）  前記第１および第２の表示パネルではそれぞれ、前記発光素子または前記光制御素子に対して印加される駆動電圧に応じて、画素単位で光透過性が変化する  上記（２）に記載の表示装置。（４）  前記第１および第２の表示パネルにおける映像表示の個別制御を行う表示制御部を更に備え、  前記表示制御部は、前記画素単位での前記光透過性の変化を利用した複数種類の表示モードのうちの選択された一の表示モードが実行されるように、前記個別制御を行う  上記（３）に記載の表示装置。（５）  前記表示制御部は、  前記第１の表示パネルの少なくとも一部の画素領域において、前記発光素子による映像表示が行われている場合に、  前記複数種類の表示モードとしての、  前記光制御素子による前記入射光の透過を利用して、前記第２の表示パネルの全画素領域が透明状態となる第１の表示モードと、  前記光制御素子による前記第１の表示面側からの前記入射光に基づく前記反射型映像表示を利用して、前記第２の表示パネルの全画素領域が単色反射表示状態となる第２の表示モードと、  前記第２の表示パネルにおいて、前記第１の表示パネルにおける表示画素領域に対応する画素領域付近が前記単色反射表示状態になると共に、前記第１の表示パネルにおける非表示画素領域である透明画素領域に対応する画素領域付近が前記透明状態になる第３の表示モードと  からなる３種類の表示モードのうちの少なくとも２種類以上の表示モードのうち、選択された一の表示モードが実行されるように、前記個別制御を行う  上記（４）に記載の表示装置。（６）  前記第２および第３の表示モードの際の前記単色反射表示状態での色の設定と、  前記第３の表示モードの際の、前記単色反射表示状態または前記透明状態となる画素領域の部分設定とがそれぞれ、  任意に調整可能となっている  上記（５）に記載の表示装置。（７）  前記第１ないし第３の表示モードのうちの前記少なくとも２種類以上の表示モードのうち、前記一の表示モードが、外部から入力された操作信号に従って選択される  上記（５）または（６）に記載の表示装置。（８）  前記表示制御部は、  前記第１の表示面が上側となる状態であることが検知された場合に、  前記第１の表示パネルの少なくとも一部の画素領域において前記映像表示が行われるように、前記個別制御を行う  上記（５）ないし（７）のいずれかに記載の表示装置。（９）  前記表示制御部は、  前記第２の表示パネルの少なくとも一部の���素領域において、前記光制御素子による前記第２の表示面側からの前記入射光に基づく前記反射型映像表示が行われている場合に、  前記複数種類の表示モードとしての、  前記発光素子が非発光状態になることによって前記第１の表示パネルの全画素領域が透明状態となる第４の表示モードと、  前記発光素子が発光状態になることによって前記第１の表示パネルの全画素領域が単色表示状態となる第５の表示モードと、  前記第１の表示パネルにおいて、前記第２の表示パネルにおける表示画素領域に対応する画素領域付近が前記単色表示状態になると共に、前記第２の表示パネルにおける非表示画素領域である透明画素領域に対応する画素領域付近が前記透明状態になる第６の表示モードと  からなる３種類の表示モードのうちの少なくとも２種類以上の表示モードのうち、選択された一の表示モードが実行されるように、前記個別制御を行う  上記（４）ないし（８）のいずれかに記載の表示装置。（１０）  前記第５および第６の表示モードの際の前記単色表示状態での色の設定と、  前記第６の表示モードの際の、前記単色表示状態または前記透明状態となる画素領域の部分設定とがそれぞれ、  任意に調整可能となっている  上記（９）に記載の表示装置。（１１）  前記第４ないし第６の表示モードのうちの前記少なくとも２種類以上の表示モードのうち、前記一の表示モードが、外部から入力された操作信号または検知された環境照度値に従って選択される  上記（９）または（１０）に記載の表示装置。（１２）  前記環境照度値が閾値以上の場合には、前記第４の表示モードが前記一の表示モードとして選択され、  前記環境照度値が前記閾値未満の場合には、前記第５または第６の表示モードが前記一の表示モードとして選択される  上記（１１）に記載の表示装置。（１３）  前記表示制御部は、  前記第２の表示面が上側となる状態であることが検知された場合に、  前記第２の表示パネルの少なくとも一部の画素領域において前記反射型映像表示が行われるように、前記個別制御を行う  上記（９）ないし（１２）のいずれかに記載の表示装置。（１４）  前記表示制御部は、  前記表示装置が待機状態であることが検知されたときには、  前記第１および第２の表示パネルにおける画素領域がいずれも透明状態となるように、前記個別制御を行う  上記（４）ないし（１３）のいずれかに記載の表示装置。（１５）  前記表示部が、  各々が前記第１および第２の表示パネルを有する第１および第２の表示部と、  前記第１および第２の表示部同士を折り畳み自在に連結するヒンジ部と  を含んで構成されている  上記（１）ないし（１４）のいずれかに記載の表示装置。（１６）  前記第１および第２の表示部同士が折り畳まれて閉じている状態であることが検知されたときには、  前記第１および第２の表示部ではそれぞれ、前記第１および第２の表示パネルにおける画素領域がいずれも透明状態となるように、表示制御が行われる  上記（１５）に記載の表示装置。（１７）  前記第１および第２の表示部同士が前記ヒンジ部を介して上下方向に開いている状態であることが検知されたときには、  前記第１および第２の表示部のうちの一方において、前記第１または第２の表示面において透明状態による映像表示���行われると共に、他方では、前記第１または第２の表示面において非透明状態による映像表示が行われるように、表示制御が行われ、  前記第１および第２の表示部同士が前記ヒンジ部を介して左右方向に開いている状態であることが検知されたときには、  前記第１および第２の表示部ではそれぞれ、前記第１および第２の表示面のうちの一方である共通表示面において非透明状態による映像表示が行われるように、表示制御が行われる  上記（１５）または（１６）に記載の表示装置。（１８）  前記第１および第２の表示パネルがそれぞれ、可撓性を有する  上記（１）ないし（１７）のいずれかに記載の表示装置。（１９）  前記発光素子が有機電界発光素子であり、  前記光制御素子が、コレステリック液晶を用いて構成されている  上記（１）ないし（１８）のいずれかに記載の表示装置。（２０）  表示装置を備え、  前記表示装置は、  互いに対向する第１および第２の表示面を有する表示部を備え、  前記表示部は、  前記第１の表示面側に配置され、複数の発光素子を含む第１の表示パネルと、  前記第２の表示面側に配置され、入射光の透過または反射を制御する光制御を行うと共に前記入射光の反射を利用した反射型映像表示を行う複数の光制御素子を含む第２の表示パネルと  を有する電子機器。
【０１５６】  本出願は、日本国特許庁において２０１３年９月２５日に出願された日本特許出願番号２０１３−１９７７９１号を基礎として優先権を主張するものであり、この出願のすべての内容を参照によって本出願に援用する。
【０１５７】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2015045752.tif 000003
【図１Ｂ】
2015045752.tif 000004
【図２】
2015045752.tif 000005
【図３Ａ】
2015045752.tif 000006
【図３Ｂ】
2015045752.tif 000007
【図４】
2015045752.tif 000008
【図５Ａ】
2015045752.tif 000009
【図５Ｂ】
2015045752.tif 000010
【図６】
2015045752.tif 000011
【図７Ａ】
2015045752.tif 000012
【図７Ｂ】
2015045752.tif 000013
【図８Ａ】
2015045752.tif 000014
【図８Ｂ】
2015045752.tif 000015
【図９Ａ】
2015045752.tif 000016
【図９Ｂ】
2015045752.tif 000017
【図１０Ａ】
2015045752.tif 000018
【図１０Ｂ】
2015045752.tif 000019
【図１１Ａ】
2015045752.tif 000020
【図１１Ｂ】
2015045752.tif 000021
【図１２Ａ】
2015045752.tif 000022
【図１２Ｂ】
2015045752.tif 000023
【図１３Ａ】
2015045752.tif 000024
【図１３Ｂ】
2015045752.tif 000025
【図１４】
2015045752.tif 000026
【図１５】
2015045752.tif 000027
【図１６】
2015045752.tif 000028
【図１７】
2015045752.tif 000029
【図１８】
2015045752.tif 000030
【図１９】
2015045752.tif 000031
【図２０】
2015045752.tif 000032
【図２１】
2015045752.tif 000033
【図２２】
2015045752.tif 000034
【図２３】
2015045752.tif 000035
【図２４】
2015045752.tif 000036
【図２５】
2015045752.tif 000037
【図２６Ａ】
2015045752.tif 000038
【図２６Ｂ】
2015045752.tif 000039
【図２６Ｃ】
2015045752.tif 000040
【図２７Ａ】
2015045752.tif 000041
【図２７Ｂ】
2015045752.tif 000042
【国際調査報告】
2015045752.tif 000043
2015045752.tif 000044
2015045752.tif 000045
2015045752.tif 000046